(57)【要約】【課題】装飾効果を高めることが可能な遊技球検出部材およびこれを用いた弾球遊技機を提供する。【解決手段】遊技盤５０面に形成された遊技領域５２中を流下する遊技球の通過を検出するための遊技球検出部材２０は、遊技球の通過口２３を有する遊技球通過部２４と、遊技盤５０への取付部を有する盤取付部２２と、遊技球通過部２４と盤取付部２２とを仕切る仕切部２１とを備える。遊技球通過部２４は、金型（雌金型４０）に形成されたキャビティ４３内に挿入可能なスライド部材４１ａ，４１ｂを用いて、通過口２３を成型してなる。【選択図】          図２
2004202041.tif 000002
【特許請求の範囲】
【請求項１】
遊技盤面に形成された遊技領域中を流下する遊技球の通過を検出するための遊技球検出部材であって、
前記遊技球の通過口を有する遊技球通過部と、前記遊技盤への取付部を有する盤取付部と、前記遊技球通過部と前記盤取付部とを仕切る仕切部とを備え、
前記遊技球通過部は、金型に形成されたキャビティ内に挿入可能なスライド部材を用いて、前記通過口を成型してなることを特徴とする遊技球検出部材。
【請求項２】
前記遊技球検出部材を遊技盤表面に取り付けたことを特徴とする弾球遊技機。
【発明の詳細な説明】
【０００１】
【発明の属する技術分野】
本発明は、遊技盤面に形成された遊技領域中を流下する遊技球の通過を検出するための遊技球検出部材およびこれを用いた弾球遊技機に関する。
【０００２】
【従来の技術】
従来、パチンコ機等の弾球遊技機には、遊技盤面に形成された遊技領域内を流下する遊技球の通過を検出するための遊技球検出部材を備えたものがある。この遊技球検出部材は、例えば普通図柄始動口として機能するもので、遊技球検出部材内に取り付けられた近接センサが遊技球の通過を検出すると、普通図柄の変動表示が開始されるようになっている。
【０００３】
このような遊技球検出部材は、一般的に、金型を用いてプラスチック原料を射出成型することにより製造されるものであり、遊技球の通過口を有する遊技球通過部と、遊技盤への取付部を有する盤取付部と、遊技球通過部と盤取付部とを仕切る仕切部とを備えている。また、成型時に、近接センサを装着するための近接センサ装着部が一体的に成型されるようになっている。
【０００４】
【発明が解決しようとする課題】
しかしながら、従来の金型では、近接センサを遊技球通過部に装着するために仕切部に設けられた開口部と、近接センサとの間に隙間が生じないように、近接センサ装着部を形成するための雄金型を近接センサの厚みとほぼ同一の形状とすると、通過口にプラスチックの薄膜が形成されてしまい、設計通りに通過口を形成することができないという問題があった。
【０００５】
すなわち、従来の金型では、近接センサ装着部を形成するための雄金型が近接センサの厚みよりも大きくなっており、近接センサを遊技球通過部に装着するために仕切部に設けられた開口部と、近接センサとの間に隙間が生じてしまう。
【０００６】
このため、遊技球検出部材を遊技盤に取り付けると、近接センサを遊技球通過部に装着するために仕切部に設けられた開口部と、近接センサとの隙間から遊技盤の裏側に配設した種々の部品が見えてしまい、見栄えがよくないという問題があった。
【０００７】
また、近接センサを遊技球通過部に装着するために仕切部に設けられた開口部と、近接センサとの間に隙間が生じることがないように、上下に分割された構造を有する金型を用いることも可能であるが、仕切部の表面に金型の継ぎ目が生じてしまい、この場合にも見栄えがよくないという問題があった。
【０００８】
本発明は、上述した事情に鑑み提案されたもので、装飾効果を高めることが可能な遊技球検出部材およびこれを用いた弾球遊技機を提供することを目的とする。
【０００９】
【課題を解決するための手段】
本発明に係る遊技球検出部材およびこれを用いた弾球遊技機は、上述した目的を達成するため、以下の特徴点を備えている。なお、本発明に係る遊技球検出部材およびこれを用いた弾球遊技機の各構成要素について、図面に付した符号を参照して、具体的な適用例を示すが、各構成要素はこれらに限定されるものではない。
【００１０】
すなわち、本発明に係る遊技球検出部材（２０）は、遊技盤（５０）面に形成された遊技領域（５２）中を流下する遊技球の通過を検出するための遊技球検出部材（２０）であって、
前記遊技球の通過口（２３）を有する遊技球通過部（２４）と、前記遊技盤（５０）への取付部を有する盤取付部（２２）と、前記遊技球通過部（２４）と前記盤取付部（２２）とを仕切る仕切部（２１）とを備え、
前記遊技球通過部（２４）は、金型（雌金型４０）に形成されたキャビティ（４３）内に挿入可能なスライド部材（４１ａ，４１ｂ）を用いて、前記通過口（２３）を成型してなることを特徴とするものである。
【００１１】
このような構成からなる遊技球検出部材（２０）では、金型（雌金型４０）のキャビティ（４３）内に対向する方向からスライド部材（４１ａ，４１ｂ）を挿入して成型を行うことにより、遊技球通過部（２４）の通過口（２３）が貫通して形成される。このため、近接センサ装着部（２９）を形成するための雄金型（３０）を近接センサの厚みとほぼ同一の寸法とした場合であっても、通過口（２３）にプラスチックの薄膜が形成されることがない。したがって、近接センサを遊技球通過部（２４）に装着するために仕切部（２１）に設けられた開口部と、近接センサとの間に隙間が生じることがなく、遊技球検出部材（２０）の見栄えがよくなる。
【００１２】
また、本発明に係る弾球遊技機は、前記遊技球検出部材（２０）を遊技盤（５０）表面に取り付けたことを特徴とするものである。
このような構成からなる弾球遊技機（パチンコ機１）では、近接センサを遊技球通過部（２４）に装着するために仕切部（２１）に設けられた開口部と、近接センサとの間に隙間がないので、弾球遊技機（パチンコ機１）の前面側から遊技盤（５０）の裏側に配設された種々の部品が見えることがなく、装飾効果を高めることができる。
【００１３】
【発明の実施の形態】
以下、図面を参照して、本発明に係る遊技球検出部材およびこれを用いた弾球遊技機の実施形態を説明する。
なお、以下に示す実施形態では、代表的な弾球遊技機であるパチンコ機を例にとって説明を行う。
【００１４】
＜パチンコ機の概略構成＞
図５は、本発明の実施形態に係るパチンコ機の正面図である。
本発明の実施形態に係るパチンコ機１は、図５に示すように、外枠２と、この外枠２の上半部に開閉可能に取り付けられたフロントドア３を備えており、その下方には操作部４が設けられている。
【００１５】
操作部４には、遊技に使用する遊技球を貯留するとともに賞として払い出される遊技球を受け入れる上皿５と、上皿５からオーバーフローした遊技球を受け入れる下皿６とが上下に並べて取り付けられている。また、下皿６の右側には遊技球の発射操作を行う発射ハンドル７が設けられ、下皿６の左側には灰皿８が設けられている。さらに、上皿５には、当該パチンコ機１における球貸操作等を行う操作パネル９が設けられている。
【００１６】
また、フロントドア３には、遊技領域５２を前方側から覆うようにしてガラス板等からなる透明板が取り付けられており、フロントドア３の上部前面には遊技盤５０が取り付けられている。
【００１７】
さらに、フロントドア３には、遊技領域５２の周囲前方に位置するようにして装飾枠１０が設けられており、装飾枠１０の上部には、左右一対のスピーカ１１が配設されている。
【００１８】
＜遊技盤＞
フロントドア３の上部前面に取り付けられた遊技盤５０は、図５に示すように、その表面に一対のガイドレール５１で囲まれた略円形の遊技領域５２を備えており、遊技領域５２内には、複数の障害釘や風車等の障害部材５３が配設されるとともに、複数の特別図柄を変動表示するとともに演出画像を表示する画像表示装置５４と、普通図柄を変動表示する普通図柄表示部５５（画像表示装置５４において画像表示される）と、複数の入賞口と、いずれの入賞口にも入賞しなかった遊技球を遊技領域５２内から排出するアウト口５６とが設けられている。
【００１９】
上記画像表示装置５４の周囲には、遊技盤５０の表面から立ち上がる画面枠部材５７が設けられており、この画面枠部材５７の下辺部分には、側方から飛び込んだ遊技球を一時滞留させ、その後この遊技球を後述する始動入賞口６２に流下させるステージ５８が設けられている。
【００２０】
＜入賞口＞
上記入賞口は、その機能によって複数種類に分かれており、遊技球が入賞したことを条件として所定数の賞球を排出する一般入賞口５９と、遊技球が通過したことを条件として、普通図柄表示部５５における普通図柄の変動表示を開始させる普通図柄始動口６０と、遊技球を受け入れ易い状態と、遊技球を受け入れ難い状態との間で切換可能な変動部材（以下、普通電動役物６１と称す）を有し、遊技球が入賞したことを条件として画像表示装置５４における特別図柄の変動表示を開始させる始動入賞口６２と、遊技球を受け入れ易い状態と、遊技球を受け入れ難い状態との間で切換可能となっており、画像表示装置５４における図柄の停止表示態様が所定の賞態様を構成した場合に、所定時間および所定回数だけ遊技球を受け入れ易い状態に切り換えられる大入賞口６３とからなる。
【００２１】
＜普通図柄始動口＞
上記普通図柄始動口６０は、後に詳述する遊技球検出部材および近接センサから構成される入賞口で、始動入賞口６２の左上方に設けられており、通過する遊技球を検出するようになっている。この普通図柄始動口６０の通過球は、４個まで記憶可能となっており、この入賞記憶に基づいて、普通図柄表示部５５における図柄の変動表示が行なわれる。また、画像表示装置５４の右側上部には、普通図柄始動口６０の通過記憶個数を表示する４個の普通図柄記憶ＬＥＤ６４が設けられている。この普通図柄記憶ＬＥＤ６４の点灯個数により、普通図柄始動口６０の通過記憶個数を表示することができる。
【００２２】
＜始動入賞口＞
上記始動入賞口６２の左右には、遊技球を受け入れ易い状態と、遊技球を受け入れ難い状態との間で切換可能なチューリップ状の普通電動役物６１が設けられている。この普通電動役物６１は、通常の状態では遊技球を受け入れ難い状態となっており、普通図柄表示部５５において「当たり」となった場合に、所定時間（例えば、０．３秒間）だけ遊技球を受け入れ易い状態に切り換えられる。
【００２３】
また、始動入賞口６２への入賞球は、４個まで記憶可能となっており、この入賞記憶に基づいて、画像表示装置５４における図柄の変動表示が行なわれる。画像表示装置５４の上方には、始動入賞口６２への入賞記憶個数を表示する４個の特別図柄記憶ＬＥＤ６５が設けられている。この特別図柄記憶ＬＥＤ６５の点灯個数により、始動入賞口６２への入賞記憶個数を表示することができる。
【００２４】
＜遊技球検出部材＞
次に、普通図柄始動口６０を構成する遊技球検出部材を詳細に説明する。図１〜図４は、遊技球検出部材およびその製造金型を示すもので、図１は、遊技球検出部材および金型を前方から見た状態の斜視図、図２は、遊技球検出部材および金型を前方から見た状態で雌金型の内部構造を示す斜視図、図３は、遊技球検出部材および金型を後方から見た状態の斜視図、図４は、遊技球検出部材および金型を後方から見た状態で雌金型の内部構造を示す斜視図である。
【００２５】
遊技球検出部材２０は、図１〜図４に示すように、遊技球の通過口２３を有する遊技球通過部２４と、遊技盤への取付部を有する盤取付部２２と、遊技球通過部２４と盤取付部２２とを仕切る仕切部２１とを備えている。
【００２６】
仕切部２１には、ボルト等の止着部材（図示せず）を挿入するボルト挿通孔２５が設けられている。また、仕切部２１の背面には、遊技球検出部材２０を遊技盤５０に取り付ける際の位置決め突起２６（図３参照）が設けられている。
【００２７】
盤取付部２２は、遊技盤５０に設けた取付孔（図示せず）へ挿入するための部分で、その一側には可撓性および弾性を有する止着片２７が設けられている。さらに、止着片２７の先端部には止着突起２８が設けられている。
近接センサ装着部２９（図３参照）へ、近接センサを定位置まで挿入すると、近接センサの後端部に止着突起２８が係合し、これによって、近接センサが遊技球検出部材２０に止着される。
【００２８】
遊技球通過部２４は、遊技盤の表面に突出して普通図柄始動口６０を形成する部分で、遊技球を通過させるための通過口２３が上下方向に設けられている。
また、遊技球検出部材２０には、盤取付部２２、仕切部２１、遊技球通過部２４を一連に貫通して、近接センサ（図示せず）を装着するための近接センサ装着部２９が通過口２３と直交する方向に設けられている。
【００２９】
遊技球検出部材２０を射出成型するための金型は、図１〜図４に示すように、雄金型３０と雌金型４０とに分割されている。さらに、雌金型４０は、通過口２３を開設するスライド部材４１ａ，４１ｂを備えている。このスライド部材４１ａ，４１ｂは、上下一対に分割されており、雌金型４０に設けたスライド部材挿通孔４２ａ，４２ｂを介してキャビティ４３内に挿入されるようになっている。
【００３０】
遊技球検出部材２０を成型するには、雄金型３０および雌金型４０を組み合わせるように移動させるとともに、図示する状態からスライド部材挿通孔４２ａ，４２ｂを介してキャビティ４３内に各スライド部材４１ａ，４１ｂを挿入した状態で、キャビティ４３内にプラスチック原料を流し込めばよい。その後、雄金型３０および雌金型４０を分離させるとともに、スライド部材挿通孔４２ａ，４２ｂから各スライド部材４１ａ，４１ｂを抜き取ることにより、遊技球検出部材２０を取り出すことができる。
【００３１】
このように、スライド部材４１ａ，４１ｂにより、通過口２３が上下方向に貫通して形成されるため、近接センサを遊技球通過部２４に装着するために仕切部２１に設けられた開口部と、近接センサとの間に隙間を生じない金型構造としつつ、遊技球検出部材２０の離型を行うことができる。
【００３２】
すなわち、本実施形態に係る金型を用いることにより、近接センサを取り付けた際に、仕切部２１に設けられた開口部と近接センサとの間に隙間が生じない遊技球検出部材２０を製造することができる。さらに、この遊技球検出部材２０は、その前面に金型の継ぎ目が生じないため、意匠性に優れた遊技球検出部材２０とすることができる。
【００３３】
＜他の実施形態＞
なお、上述した実施形態では遊技球検出部材をパチンコ機に用いた場合を例にとって説明を行ったが、本発明に係る遊技球検出部材は、アレンジボール遊技機等の他の弾球遊技機にも適用することができる。
また、本発明に係る遊技球検出部材は、普通図柄始動口に適用するだけではなく、遊技盤の表面に取り付けられ、遊技球が通過する部材であれば、どのような部材にも適用することができる。
【００３４】
【発明の効果】
以上説明したように、本発明に係る遊技球検出部材およびこれを用いた弾球遊技機によれば、スライド部材を、遊技球通過部を成型するキャビティ内に挿通して成型を行うことにより、遊技球の通過口が貫通して形成される。そして、近接センサ装着部を形成するための雄金型を近接センサの厚みとほぼ同一の寸法とした場合であっても、遊技球の通過口にプラスチックの薄膜が形成されることがないため、設計通りに遊技球の通過口を形成することができる。
【００３５】
したがって、遊技球検出部材に対して近接センサを取り付けた際に、近接センサを遊技球通過部に装着するために仕切部に設けられた開口部と、近接センサとの間に隙間が生じることがなく、仕切部に設けられた開口部と近接センサとの隙間から遊技盤の裏側に配設した種々の部品が見えないので、装飾効果を高めることが可能となる。
また、仕切部の表面に金型の継ぎ目が生じることもないので、この点においても装飾効果を高めることが可能となる。
【図面の簡単な説明】
【図１】本発明の実施形態に係る遊技球検出部材および金型を前方から見た状態の斜視図
【図２】本発明の実施形態に係る遊技球検出部材および金型を前方から見た状態で雌金型の内部構造を示す斜視図
【図３】本発明の実施形態に係る遊技球検出部材および金型を後方から見た状態の斜視図
【図４】本発明の実施形態に係る遊技球検出部材および金型を後方から見た状態で雌金型の内部構造を示す斜視図
【図５】本発明の実施形態に係るパチンコ機の正面図
【符号の説明】
１  パチンコ機
２  外枠
３  フロントドア
４  操作部
５  上皿
６  下皿
７  発射ハンドル
８  灰皿
９  操作パネル
１０  装飾枠
１１  スピーカ
２０  遊技球検出部材
２１  仕切部
２２  盤取付部
２３  通過口
２４  遊技球通過部
２５  ボルト挿通孔
２６  位置決め突起
２７  止着片
２８  止着突起
２９  近接センサ装着部
３０  雄金型
４０  雌金型
４１ａ，ｂ  スライド部材
４２ａ，ｂ  スライド部材挿通孔
４３  キャビティ
５０  遊技盤
５１  ガイドレール
５２  遊技領域
５３  障害部材
５４  画像表示装置
５５  普通図柄表示部
５６  アウト口
５７  画面枠部材
５８  ステージ
５９  一般入賞口
６０  普通図柄始動口
６１  普通電動役物
６２  始動入賞口
６３  大入賞口
６４  普通図柄記憶ＬＥＤ
６５  特別図柄記憶ＬＥＤ
【図１】
2004202041.tif 000003
【図２】
2004202041.tif 000004
【図３】
2004202041.tif 000005
【図４】
2004202041.tif 000006
【図５】
2004202041.tif 000007